(57)【特許請求の範囲】
【請求項１】
放射性物質で汚染された土壌から放射性物質を除去する放射性物質除去方法であって、
透水性を有するフィルター容器を前記土壌に上部が露出するように埋設し、
前記フィルター容器内に浸入した水分を保持するフィルター材を配置し、
前記フィルター容器内に前記放射性物質を含む汚染水を引き寄せ、
前記フィルター容器を前記土壌から引き抜いて回収することにより、前記放射性物質を除去する、
ことを特徴とする放射性物質除去方法。
【請求項２】
放射性物質で汚染された土壌から放射性物質を除去する放射性物質除去装置であって、
透水性を有し前記土壌に上部が露出するように埋設されるフィルター容器と、
前記放射性物質を含む汚染水を前記フィルター容器内に引き寄せる集水手段と、
前記フィルター容器内に浸入した水分を保持するフィルター材と、
前記フィルター容器の上部に配置された把手と、を備え、
前記集水手段により前記フィルター容器内に前記汚染水を引き寄せ、前記把手を利用して前記フィルター容器を前記土壌から引き抜いて回収することにより、前記放射性物質を除去するようにした、
ことを特徴とする放射性物質除去装置。
【請求項３】
前記集水手段は、前記フィルター容器内に上方から差し入れられた吸込管と、該吸込管に接続された吸引ポンプと、該吸引ポンプに接続された汚染水槽と、を備えることを特徴とする請求項２に記載の放射性物質除去装置。
【請求項４】
前記集水手段は、前記フィルター容器内に上方から差し入れられた陰極棒と、前記フィルター容器から間隔を隔てて前記土壌に差し込まれた陽極棒と、前記陰極棒と前記陽極棒との間に電圧を印加する電力供給手段と、を備えることを特徴とする請求項２に記載の放射性物質除去装置。
【請求項５】
前記集水手段への電力は、太陽光発電装置、風力発電装置又はその他の再生可能エネルギー発電装置により供給される、ことを特徴とする請求項２〜４の何れか一項に記載の放射性物質除去装置。
【発明の詳細な説明】
【技術分野】
【０００１】
本発明は、放射性物質除去方法及び放射性物質除去装置に関し、特に、放射性物質によって汚染された土壌から放射性物質を含む汚染水を集水して除去可能な放射性物質除去方法及び放射性物質除去装置に関する。
【背景技術】
【０００２】
放射性物質は、アルカリ金属をはじめとした金属元素の放射性同位体であるが、土壌の水分中では単独の元素として存在せず、大気や土壌中の硫酸等の元素とイオン結合して塩という化学結合の形態で存在している。土壌は、一般に、土壌の成分を構成している微細なシルト質及び粘土に水分を含有している。特に、降雨後には雨水の浸透や地下水の増量の影響により、土壌に多くの水分が保有された湿潤な状態となっている。
【０００３】
このように、多くの水分を含有する土壌では、塩としてイオン結合していた土壌中の放射性同位元素は、塩から電離してイオンとして水に溶け込んでいることが多く、土壌中で汚染水を構成している。したがって、放射性物質によって汚染された土壌に対しては、土壌中の汚染水に対して電気的なクーロン力を作用させることで、汚染水を電気浸透現象により強制的に移動させて一定箇所に集水することができる。
【０００４】
電気浸透現象を利用して土壌中のイオン化した汚染物質を抽出する発明として、汚染された土壌に陰極と陽極とを間隔を隔てて差し込み、これらに電圧を印加することで、イオン化した汚染物質が溶け込んだ汚染水を陰極に集めるようにした装置が知られている（例えば、特許文献１参照）。この装置においては、筒状に形成された陰極を有し、陰極の側面に複数の貫通孔が形成されており、電気浸透現象によって陰極に引き寄せられた汚染水を貫通孔から陰極内に取り込み、陰極内に取り込んだ汚染水を真空ポンプによって汲み上げるようにしている。
【先行技術文献】
【特許文献】
【０００５】
【特許文献１】特開２００３−３１１２５６号公報
【発明の概要】
【発明が解決しようとする課題】
【０００６】
ところで、上述した従来の装置においては、土壌中の汚染物質が溶け込んだ汚染水を電気浸透現象によって筒状の陰極に引き寄せ、陰極内に取り込んだ汚染水を汲み上げることで放射性物質を除去するようにしているため、陰極の内部に取り込まれた汚染水は除去できるものの、陰極の近傍（陰極の外部）の土壌に引き寄せられた濃度の高い汚染水を除去することができない。すなわち、筒状の陰極内の汚染水を汲み上げただけでは、周囲の土壌に染み込んだ汚染水を除去することができず、汚染水回収効率の点で改善の余地が残されている。
【０００７】
本発明は、かかる問題点に鑑み創案されたものであり、放射性物質によって汚染された土壌から放射性物質を含む汚染水を引き寄せて効率よく回収することができる、放射性物質除去方法及び放射性物質除去装置を提供することを目的とする。
【課題を解決するための手段】
【０００８】
本発明によれば、放射性物質で汚染された土壌から放射性物質を除去する放射性物質除去方法であって、透水性を有するフィルター容器を前記土壌に上部が露出するように埋設し、前記フィルター容器内に浸入した水分を保持するフィルター材を配置し、前記フィルター容器内に前記放射性物質を含む汚染水を引き寄せ、前記フィルター容器を前記土壌から引き抜いて回収することにより、前記放射性物質を除去する、ことを特徴とする放射性物質除去方法が提供される。
【０００９】
また、本発明によれば、放射性物質で汚染された土壌から放射性物質を除去する放射性物質除去装置であって、透水性を有し前記土壌に上部が露出するように埋設されるフィルター容器と、前記放射性物質を含む汚染水を前記フィルター容器内に引き寄せる集水手段と、前記フィルター容器内に浸入した水分を保持するフィルター材と、前記フィルター容器の上部に配置された把手と、を備え、前記集水手段により前記フィルター容器内に前記汚染水を引き寄せ、前記把手を利用して前記フィルター容器を前記土壌から引き抜いて回収することにより、前記放射性物質を除去するようにした、ことを特徴とする放射性物質除去装置が提供される。
【００１０】
前記集水手段は、前記フィルター容器内に上方から差し入れられた吸込管と、該吸込管に接続された吸引ポンプと、該吸引ポンプに接続された汚染水槽と、を備えていてもよい。また、前記集水手段は、前記フィルター容器内に上方から差し入れられた陰極棒と、前記フィルター容器から間隔を隔てて前記土壌に差し込まれた陽極棒と、前記陰極棒と前記陽極棒との間に電圧を印加する電力供給手段と、を備えていてもよい。また、前記集水手段への電力は、太陽光発電装置、風力発電装置又はその他の再生可能エネルギー発電装置により供給することが好ましい。
【発明の効果】
【００１１】
本発明に係る放射性物質除去方法及び放射性物質除去装置によれば、土壌から放射性物質を含む汚染水をフィルター容器内に引き寄せてフィルター材に保持させ、フィルター容器ごと汚染水を回収するようにしたことから、フィルター容器の外周に取り残される汚染水を低減することができ、放射性物質によって汚染された土壌から放射性物質を含む汚染水を引き寄せて効率よく回収することができる。
【図面の簡単な説明】
【００１２】
【図１】本発明の第一実施形態に係る放射性物質除去装置の側断面図である。
【図２】図１に示した放射性物質除去装置を複数用いた放射性物質除去システムの概略構成図である。
【図３】本発明の第二実施形態に係る放射性物質除去装置の側断面図である。
【図４】図３に示した放射性物質除去装置を複数用いた放射性物質除去システムの概略構成図である。
【図５】図４に示した陽極棒及び陰極棒の配置を示す平面図であり、（ａ）は第一配置例、（ｂ）は第二配置例、（ｃ）は第三配置例、（ｄ）は第四配置例、を示している。
【発明を実施するための形態】
【００１３】
以下に添付図面を参照しながら、本発明の好適な実施形態について詳細に説明する。かかる実施形態に示す寸法、材料、その他具体的な数値等は、発明の理解を容易にするための例示に過ぎず、特に断る場合を除き、本発明を限定するものではない。なお、本明細書及び図面において、実質的に同一の機能、構成を有する要素については、同一の符号を付すことにより重複説明を省略し、また本発明に直接関係のない要素は図示を省略する。
【００１４】
本発明の第一実施形態に係る放射性物質除去装置１は、図１に示したように、放射性物質で汚染された土壌２から放射性物質を除去する放射性物質除去装置であり、透水性を有し土壌２に上部が露出するように埋設されるフィルター容器３と、放射性物質を含む汚染水を前記フィルター容器３内に引き寄せる集水手段４と、フィルター容器３内に浸入した水分を保持するフィルター材５と、フィルター容器３の上部に配置された把手６と、を備え、集水手段４によりフィルター容器３内に汚染水を引き寄せ、把手６を利用してフィルター容器３を土壌２から引き抜いて回収することにより、放射性物質を除去するようにしたものである。
【００１５】
土壌２は、例えば、セシウム、ストロンチウム等の放射性物質によって汚染された、農地、山林等の林地、住宅地や工業地等の宅地、道路や公園等の公共地等である。原子炉建屋の地下や周辺の土地も土壌２に含まれる。また、土壌２は必ずしも土が露出した場所に限定されず、アスファルトやコンクリートを貫通して又は除去して、フィルター容器３を埋設可能な場所であってもよい。
【００１６】
本実施形態は、放射性物質を土壌２内の水分と一緒に汚染水として除去するものであることから、土壌２は湿潤な土壌や保水可能な土壌であることが好ましい。勿論、土壌２が乾いている場合には、水を散布したり、注水したりして、土壌２を強制的に湿潤な状態にするようにしてもよい。
【００１７】
フィルター容器３は、例えば、図１に示したように、ステンレス等の金属により形成された細長い有底状の容器であり、少なくとも側面には汚染水を取り込むための複数の孔３１が貫通形成されている。フィルター容器３の断面形状は、円形であってもよいし、三角形、四角形等の多角形状であってもよい。孔３１は、底面に形成されていてもよい。図示したフィルター容器３は、金属製の容器であるが、孔３１を形成することにより、フィルター容器３の外周の水分をフィルター容器３内に浸入させることができ、透水性を有する。孔３１の直径は、土壌２の性状等に応じて任意に設定することができ、例えば、１〜１０ｍｍ程度に設定される。
【００１８】
また、フィルター容器３は、上述した金属製の容器に限定されるものではなく、透水性の高い合成繊維や天然繊維を袋状に編み上げたものや多孔性を有する樹脂製の容器であってもよい。すなわち、フィルター容器３は、水分の浸入を許容する透水性を有し、土壌２から引き上げたときにフィルター材５が脱落しない程度の剛性を有するものであればよい。
【００１９】
フィルター容器３は、上部が土壌２の表面（地表２１）から突出するように土壌２に埋設されており、上部は大気中に開放される。かかる構成により、地表２１を流れる雨水等のフィルター容器３内への浸入を抑制することができ、フィルター容器３内に引き寄せられた汚染水の濃度低下や溢流を抑制することができる。フィルター容器３の埋設時には、土壌２に掘削穴２２を予め形成しておき、掘削穴２２にフィルター容器３を挿入した後、掘削穴２２とフィルター容器３との隙間を土で埋めるようにすればよい。
【００２０】
図示したように、フィルター容器３の上部には複数の把手６が取り付けられている。把手６は、例えば、フィルター容器３の上部開口に沿って周方向に適当な間隔を隔てて接続されている。かかる把手６をフィルター容器３に配置することにより、フィルター容器３の移送や埋設作業の簡略化を図ることができるとともに、引き抜き時に牽引しやすくすることができる。フィルター容器３が小さい場合や軽い場合には、作業者が把手６を把持することができ、フィルター容器３が大きい場合や重い場合には、クレーン等の揚重装置により牽引することができる。
【００２１】
集水手段４は、例えば、図１及び図２に示したように、フィルター容器３内に上方から差し入れられた吸込管７と、吸込管７に接続された吸引ポンプ８と、吸引ポンプ８に接続された汚染水槽９と、を備えている。図２に示した放射性物質除去システムは、土壌２の一面に複数の放射性物質除去装置１を埋設したものである。本実施形態に係る放射性物質除去装置１は、設置場所や用途に応じて、単体で使用することもできるし、複数を用いてシステマティックに使用することもできる。
【００２２】
吸込管７は、例えば、長さ６ｍ以内で直径１０ｃｍ以内のものが用いられるが、これに限定されるものではない。また、吸込管７は、フィルター容器３に対して、１／３〜１／２０倍程度の直径となるように構成される。吸込管７は、フィルター容器３に差し込まれることから、フィルター容器３に対する吸込管７の体積比率を小さくすることにより、より多くの汚染水をフィルター容器３内に回収することができる。吸込管７の材質には、金属や樹脂等の真空引きに耐え得る強度を有するものが用いられる。また、吸込管７は、汚染水に晒されることから、耐腐食性を有する材質のものを使用したり、耐腐食コーティングを施したりしてもよい。
【００２３】
吸込管７の下端には、汚染水を吸込むための吸込口７１が形成されている。吸込口７１には、金属メッシュ、樹脂メッシュ又は布等からなるフィルター７２を備えたキャップ７３が装着されており、フィルター材５等の異物を吸い込まないように構成されている。なお、吸込口７１は、吸込管７の側面に形成されていてもよく、この場合、例えば、複数の小径の貫通孔によって構成される。吸込管７の上端は、フランジ７４を介して排水管１１に接続されている。
【００２４】
フィルター容器３の内部には、吸込管７によって吸引された汚染水を保持するためのフィルター材５が収容されている。フィルター材５は、例えば、透水性の高い、砂、砂利、礫等であり、フィルター容器３内に充填される。フィルター材５として吸水性を有する素材（樹脂材、多孔質材等）を使用してもよい。フィルター材５は、フィルター容器３内に浸入した汚染水を毛細管現象によって内部に浸透させてフィルター容器３内に留め、外部への漏洩を抑制する。また、フィルター材５は、吸込管７の吸込口７１を適度に塞ぎ、吸込管７内の真空度（負圧）を保持する機能や吸込管７をフィルター容器３内の中央に位置決めして支持する機能を有する。
【００２５】
フィルター材５として、フィルター容器３の底部（吸込管７の吸込口７１よりも下方）に細かな砂や砂利５１を密に配置し、その上に粗い砂利や礫５２を配置するようにしてもよい。このように、フィルター材５の粒径を傾斜配置することにより、保水性を高めることができるとともに、吸込管７内の真空度を保持しやすくすることができる。なお、ここでは、フィルター材５を二段階に傾斜配置する場合について説明したが、三段階以上に傾斜配置するようにしてもよいし、フィルター材５の性状を変化させて多層に配置するようにしてもよい。
【００２６】
図２に示したように、土壌２には、例えば、複数のフィルター容器３が埋設される。図２において、説明の便宜上、土壌２を三段に分けて図示しているが、実際には同一平面上の土壌２を図示したものである。各フィルター容器３には、吸込管７が夫々上方から差し入れられており、吸込管７には排水管１１が接続されている。フィルター容器３から吸込管７で吸い上げられた汚染水は、排水管１１を経由して汚染水槽９に回収される。
【００２７】
排水管１１は、例えば、吸込管７に接続される管ヘッダ１１１と、管ヘッダ１１１に接続されるヘッダ母管１１２と、を有する。管ヘッダ１１１は、図１に示すように、例えば、脚部１１１ａと腕部１１１ｂとから成るＴ字形状の配管によって構成される。管ヘッダ１１１の脚部１１１ａは、吸込管７のフランジ７４にボルト・ナット等により接続される。隣り合う管ヘッダ１１１の腕部１１１ｂは、管継手１１１ｃを介して連結されており、最上流の管ヘッダ１１１の端部は閉塞される。管ヘッダ１１１からヘッダ母管１１２までの距離が長い場合には、複数の配管を継ぎ足すようにしてもよい。
【００２８】
図２に示したように、ヘッダ母管１１２には、汚染水を吸い上げるための吸引ポンプ８が配設されている。吸引ポンプ８は、いわゆる真空ポンプであり、各吸込管７を適切に真空引きできる容量を有する。ヘッダ母管１１２の下流側には、汚染水槽９が接続される。汚染水槽９は、放射性物質の漏洩を防止できるように構成されていることが好ましい。例えば、汚染水槽９は、コンクリートや鋼板コンクリート等の放射線遮蔽効果の高い素材によって汚染水を封入できるように構成されている。また、汚染水槽９は、放射線遮蔽効果の高い建屋内に配置された水槽やタンクであってもよい。
【００２９】
排水管１１には、必要に応じて開閉弁１１３を配置して、汚染水を回収する吸込管７を任意に選択できるようにしてもよいし、必要に応じて逆止弁１１４を配置して、汚染水の逆流を抑制するようにしてもよい。また、吸引ポンプ８の上流側には、必要に応じてドレン弁１１５及びドレン受け１１６を配置するようにしてもよい。なお、排水管１１の構成は、図示したものに限定されず、吸込管７の配置や個数等に応じて適宜変更することができる。
【００３０】
また、図２に示したように、吸引ポンプ８には、駆動力を付与する電力供給手段１０が接続される。電力供給手段１０は、例えば、太陽光発電装置、風力発電装置又はその他の再生可能エネルギー発電装置によって構成されることが好ましいが、蓄電池や原動機であってもよい。特に、電力供給手段１０として、再生可能エネルギー発電を利用した場合には、電力のインフラ設備が整っていない場所や燃料の供給が困難な場所であっても、恒常的に吸引ポンプ８に電力を供給することができる。なお、電力供給手段１０により供給される電力は、吸引ポンプ８への供給に限定されるものではなく、開閉弁１１３、逆止弁１１４、ドレン弁１１５等の電力を必要とする全ての機器に供給することができる。
【００３１】
上述した本実施形態に係る放射性物質除去装置によれば、土壌２にフィルター容器３を埋設し、吸込管７、排水管１１、吸引ポンプ８、汚染水槽９等を敷設した後、電力供給手段１０により吸引ポンプ８を作動させることにより、土壌２の汚染水を含む水分がフィルター容器３に向かって引き寄せられ、孔３１からフィルター容器３内に浸入する。フィルター容器３内に浸入した汚染水は、フィルター材５に保持されてフィルター容器３内に保水される。そして、保水された汚染水は、吸引ポンプ８の吸引力によって吸込管７に吸い上げられ、排水管１１を通じて汚染水槽９に回収される。フィルター容器３内に浸入した汚染水を汚染水槽９に回収することにより、フィルター材５の保水性能の飽和を抑制することができる。
【００３２】
土壌２の汚染水を十分に回収した後、最終的にフィルター容器３は土壌２から引き抜かれてフィルター材５とともに回収される。このように、土壌２から放射性物質を含む汚染水をフィルター容器３内に引き寄せてフィルター材５に保持させ、フィルター容器３ごと汚染水を回収するようにしたことから、フィルター容器３の外周に取り残される汚染水を低減することができ、放射性物質によって汚染された土壌２から放射性物質を含む汚染水を引き寄せて効率よく回収することができる。なお、回収したフィルター容器３は除染した後、フィルター材５を交換して再利用するようにしてもよい。
【００３３】
上述した本実施形態に係る放射性物質除去装置によれば、透水性を有するフィルター容器３を土壌２に上部が露出するように埋設し、フィルター容器３内に浸入した水分を保持するフィルター材５を配置し、フィルター容器３内に放射性物質を含む汚染水を引き寄せ、フィルター容器３を土壌２から引き抜いて回収することにより、前記放射性物質を除去する放射性物質除去方法を容易に実現することができる。
【００３４】
次に、本発明の第二実施形態に係る放射性物質除去装置１について、図３〜５を用いて説明する。図３に示したように、第二実施形態に係る放射性物質除去装置１は、基本的な構成は図１に示した第一実施形態に係る放射性物質除去装置１と同様であり、集水手段４の構成が異なるものである。第一実施形態における集水手段４は、吸引ポンプ８の吸引力を利用したものであるのに対して、第二実施形態における集水手段４は、クーロン力による電気浸透現象を利用したものである。
【００３５】
第二実施形態における集水手段４は、フィルター容器３内に上方から差し入れられた陰極棒１２と、フィルター容器３から間隔を隔てて土壌２に差し込まれた陽極棒１３と、陰極棒１２と陽極棒１３との間に電圧を印加する電力供給手段１４と、を備えている。陰極棒１２と陽極棒１３とは、少なくとも一対配置することにより集水可能であるが、図４に示したように、複数の陰極棒１２及び陽極棒１３を配置するようにしてもよい。
【００３６】
陰極棒１２は、フィルター容器３内のフィルター材５に差し込まれて位置決めされる。陰極棒１２のフィルター材５に差し込まれる部分の長さは、例えば、１〜５ｍ程度であるが、これに限定されるものではない。陰極棒１２の材質には、鋼、ステンレス、チタン等の導電性金属が用いられる。陰極棒１２の地上に露出した部分の側面には、断面Ｌ字型の端子１２１が溶接されている。端子１２１には、図４に示した陰極電線１５が接続されており、陰極棒１２にマイナスの電圧が印加されるようになっている。
【００３７】
一方、陽極棒１３は、陰極棒１２が差し入れられたフィルター容器３から間隔を隔てて土壌２に差し込まれる。陽極棒１３の土壌２に差し込まれる部分の長さは、陰極棒１２の長さと同じ程度に設定される。陽極棒１３の材質には、鋼、ステンレス、チタン等の導電性金属が用いられる。陽極棒１３には、図４に示した陽極電線１６が接続されており、陽極棒１３にプラスの電圧が印加されるようになっている。
【００３８】
陰極棒１２と陽極棒１３とに電圧を印加する電力供給手段１４は、例えば、図４に示したように、電力を発生させる発電手段１４１と、交流を直流に変換するＡＣ／ＤＣ変換器１４２と、ＡＣ／ＤＣ変換器１４２で変換された直流の電流及び電圧を制御する直流電源装置１４３と、直流電源装置１４３に接続されたマイナス端子箱１４４及びプラス端子箱１４５と、を備えている。なお、電力供給手段１４の構成は、図示した構成に限定されるものではなく、陰極棒１２と陽極棒１３との間に適切な電圧を印加できる構成であれば、他の構成であってもよい。
【００３９】
発電手段１４１は、例えば、太陽光発電装置、風力発電装置又はその他の再生可能エネルギー発電装置であることが好ましいが、蓄電池や原動機であってもよい。特に、発電手段１４１として、再生可能エネルギー発電装置を利用した場合には、電力のインフラ設備が整っていない場所や燃料の供給が困難な場所であっても、恒常的に放射性物質除去システムに電力を供給することができる。かかる発電手段１４１により供給される電力は、陰極棒１２及び陽極棒１３への供給に限定されるものではなく、放射性物質除去システムにおいて電力を必要とする全ての機器に供給することができる。
【００４０】
ＡＣ／ＤＣ変換器１４２及び直流電源装置１４３の電気容量（電流、電圧）は、陰極棒１２及び陽極棒１３の本数や長さに応じて調節され、陰極棒１２及び陽極棒１３に適切な大きさの電圧を印加することができるように構成されている。また、マイナス端子箱１４４内のマイナス端子は、陰極電線１５を介して陰極棒１２に接続され、プラス端子箱１４５内のプラス端子は、陽極電線１６を介して陽極棒１３に接続される。
【００４１】
電力供給手段１４は、上述したＡＣ／ＤＣ変換器１４２及び直流電源装置１４３によって直流を発生させる機能に加え、半波整流波形、全波整流波形、パルス波形又は交流波形の何れか一つ以上の波形の電流を発生させる機能を有していてもよい。これらの交番電圧を陰極棒１２と陽極棒１３との間に印加することで、陰極棒１２と陽極棒１３との間の土壌２に脈動又は衝動を与えることができ、土壌２中の汚染水を集水しやすくすることができる。
【００４２】
上述した第二実施形態に係る放射性物質除去装置によれば、土壌２にフィルター容器３を埋設し、陰極棒１２、陽極棒１３、排水管１１、電力供給手段１４等を敷設した後、電力供給手段１４により、陰極棒１２と陽極棒１３との間に所定の電圧を印加することにより、土壌２の汚染水を含む水分がフィルター容器３に向かって引き寄せられ、孔３１からフィルター容器３内に浸入する。フィルター容器３内に浸入した汚染水は、フィルター材５に保持されてフィルター容器３内に保水される。
【００４３】
具体的には、土壌２に差し込まれた陰極棒１２及び陽極棒１３は、一つの電気回路の電極として荷電され、陰極棒１２と陽極棒１３との間の土壌２において、イオン化して水分に溶け込んだ放射性物質は、汚染水として電気浸透現象により陰極棒に引き寄せられる。なお、陰極棒１２と陽極棒１３との間の電位傾度は、例えば０．１Ｖ／ｃｍ以上の適切な値となるように調節される。
【００４４】
そして、フィルター材５の保水性能が飽和する前に、フィルター容器３は土壌２から引き抜かれてフィルター材５とともに回収される。このように、土壌２から放射性物質を含む汚染水をフィルター容器３内に引き寄せてフィルター材５に保持させ、フィルター容器３ごと汚染水を回収するようにしたことから、フィルター容器３の外周に取り残される汚染水を低減することができ、放射性物質によって汚染された土壌２から放射性物質を含む汚染水を引き寄せて効率よく回収することができる。なお、回収したフィルター容器３は除染した後、フィルター材５を交換して再利用するようにしてもよい。
【００４５】
上述した第二実施形態に係る放射性物質除去装置によっても、透水性を有するフィルター容器３を土壌２に上部が露出するように埋設し、フィルター容器３内に浸入した水分を保持するフィルター材５を配置し、フィルター容器３内に放射性物質を含む汚染水を引き寄せ、フィルター容器３を土壌２から引き抜いて回収することにより、前記放射性物質を除去する放射性物質除去方法を容易に実現することができる。
【００４６】
なお、上述した第二実施形態では、フィルター材５として、ゼオライト等の多孔質材を使用するようにしてもよい。ゼオライトは、結晶格子全体が負に帯電しており、イオン交換能を有することから、イオン化した放射性物質を吸着保持することができる。勿論、第一実施形態においてゼオライトを使用するようにしてもよい。
【００４７】
ここで、図５（ａ）〜（ｄ）は、陰極棒１２及び陽極棒１３の配置例を示している。図中の破線矢印は、電気浸透現象によって移動する汚染水の流れを示している。図５（ａ）に示した第一配置例は、陰極棒１２と陽極棒１３とを列状に交互に配置したものである。図５（ｂ）に示した第二配置例は、陰極棒１２と陽極棒１３とを交互に格子状に配置したものである。かかる第二配置例によれば、第一配置例と比較して隣接する行間においても電気浸透現象を作用させることができ、汚染水を効率よく均一に集水することができる。
【００４８】
図５（ｃ）に示した第三配置例は、陰極棒１２を中心として同一半径上に陽極棒１３を複数配置したものである。かかる第三配置例によれば、一箇所に汚染水を集水することができ、配管工事や排水処理の負担軽減を図ることができる。図５（ｄ）に示した第四配置例は、陽極棒１３を中心として同一半径上に陰極棒１２を複数配置したものである。かかる第四配置例によれば、汚染水の量が多い場合であっても効率よく集水することができる。
【００４９】
各配置例において、陰極棒１２と陽極棒１３との間隔は、例えば、２〜１０ｍ程度に設定される。なお、各図において、陰極棒１２及び陽極棒１３の合計本数が９本の場合を図示しているが、これに限定されるものではない。陽極棒１３及び陰極棒１２の本数、間隔、差し込み深さ、配置、印加電圧等の条件は、設置場所の地形、土壌２の性状、汚染状況等によって、適宜変更される。
【００５０】
以上、添付図面を参照しつつ本発明の好適な実施形態について説明したが、本発明は上述した各実施形態に限定されないことは勿論であり、特許請求の範囲に記載された範疇における各種の変更例または修正例についても、本発明の技術的範囲に属することは言うまでもない。
【符号の説明】
【００５１】
１  放射性物質除去装置
２  土壌
３  フィルター容器
４  集水手段
５  フィルター材
６  把手
７  吸込管
８  吸引ポンプ
９  汚染水槽
１０，１４  電力供給手段
１１  排水管
１２  陰極棒
１３  陽極棒
１５  陰極電線
１６  陽極電線
２１  地表
２２  掘削穴
３１  孔
５１  砂利
５２  礫
７１  吸込口
７２  フィルター
７３  キャップ
７４  フランジ
１１１  管ヘッダ
１１１ａ  脚部
１１１ｂ  腕部
１１１ｃ  管継手
１１２  ヘッダ母管
１１３  開閉弁
１１４  逆止弁
１１５  ドレン弁
１２１  端子
１４１  発電手段
１４２  ＡＣ／ＤＣ変換器
１４３  直流電源装置
１４４  マイナス端子箱
１４５  プラス端子箱
【図１】
0006574607.tif 000002
【図２】
0006574607.tif 000003
【図３】
0006574607.tif 000004
【図４】
0006574607.tif 000005
【図５】
0006574607.tif 000006